(57)【特許請求の範囲】
【請求項１】
（ｉ）カーブ用速度で走行すべきカーブした第１軌道区間、（ｉｉ）該第１軌道区間に隣接し且つ該第１軌道区間の上流側にあると共に前記カーブ用速度で走行すべき第２軌道区間、及び（ｉｉｉ）該第２軌道区間に隣接し且つ該第２軌道区間の上流側にある第３軌道区間を有する軌道に沿って、被搬送物を搬送する搬送装置であって、
前記被搬送物が積載される積載部を有すると共に前記軌道上を走行する搬送手段と、
前記搬送手段が前記第２軌道区間に進入したか否か及び前記第３軌道区間に進入したか否かを判定する判定手段と、
前記搬送手段及び前記被搬送物の少なくとも一部が接触する可能性のある障害物を検知する障害物検知手段と、
前記第３軌道区間に進入したと判定された場合に、走行速度を前記カーブ用速度に近付けるように前記搬送手段を制御し、前記第２軌道区間に進入したと判定され且つ前記第１軌道区間において前記障害物が検知された場合に、前記第２軌道区間を走行する間に、前記走行速度を零とするように前記搬送手段を制御し、前記第２軌道区間に進入したと判定され且つ前記第１軌道区間において前記障害物が検知されない場合に、前記第２軌道区間を前記カーブ用速度で走行するように前記搬送手段を制御する走行制御手段と
を備え、
前記第２軌道区間は、前記第１軌道区間の位置、曲率及び前記カーブ用速度を示すカーブ情報、前記搬送手段の走行速度、並びに前記搬送手段の制動距離に基づいて、予め設定される
ことを特徴とする搬送装置。
【請求項２】
前記搬送手段が前記軌道上における前記第２軌道区間の上流側を走行中に、前記カーブ情報、前記搬送手段の走行速度、前記搬送手段の制動距離、及び前記積載部の積載状態、並びに前記軌道が有する分岐を経て前記カーブへ至る予定であるか否かに基づいて、前記第２軌道区間を設定する区間設定手段を更に備えることを特徴とする請求項１に記載の搬送装置。
【請求項３】
前記第２軌道区間は、前記搬送手段が前記第２軌道区間から前記第１軌道区間へ進入する位置で停止するための制動距離を有するように設定されることを特徴とする請求項１又は２に記載の搬送装置。
【請求項４】
前記走行制御手段は、前記第１軌道区間において前記障害物が検知されない場合に、前記カーブ用速度で、前記第１軌道区間を走行するように前記搬送手段を制御する
ことを特徴とする請求項１から３のいずれか一項に記載の搬送装置。
【発明の詳細な説明】
【技術分野】
【０００１】
本発明は、例えば半導体装置製造用の各種基板等が収容された容器などの被搬送物を、カーブを含む軌道上で搬送する搬送装置の技術分野に関する。
【背景技術】
【０００２】
この種の搬送装置として、例えば各搬送手段が他の搬送手段と通信するための送受信手段を備え、一の搬送手段が一の軌道から合流部に進入する際に、他の軌道から合流部に進入しようとする他の搬送手段との間で通信を行うことで、他の搬送手段を優先的に合流部に進入させるものがある（特許文献１参照）。
【０００３】
【特許文献１】特開２００３−４４１３９号公報
【発明の開示】
【発明が解決しようとする課題】
【０００４】
上述した特許文献１によれば、複数の軌道から合流部に進入する複数の搬送手段について、合流部における相互間の衝突を防止できる。しかしながら、合流部で合流された合流軌道が、その下流側にある分岐部で、複数の軌道に再び分岐する場合に、分岐部を始点としてカーブする一の軌道を相前後して走行する複数の搬送手段について、相互間の衝突が生じ得る。
【０００５】
具体的には、本発明者の研究したところによれば、次の問題点がある。即ち、例えば、分岐部で直進方向及び右方向に分岐する２つの軌道があって、相前後する２つの搬送手段（即ち、前方走行車、及びその後方を走行する後方走行車）の走行すべき軌道が共に右方向への軌道とする。この場合、前方走行車が分岐部を通過して、その前面が右方向に向けられている。一方、後方走行車が分岐部を通過しておらず、その前面が未だ直進方向に向けられている。この状況で、後方走行車において、障害物の検知が行われる。この際、検知領域について、前面が向けられている直進方向の検知距離が長く、走行すべき軌道に沿った右方向の検知距離が短くなってしまう。このため、上述したように、カーブする一の軌道に、前方走行車が渋滞等で停止している場合に、後方走行車が、カーブに比較的近い位置で、初めて、障害物である前方走行車を検知するために、制動のための距離が不足して、後方走行車が前方走行車に追突する等の衝突が生じかねないという技術的問題点がある。
【０００６】
本発明は、例えば上述した問題点に鑑みなされたものであり、カーブにある障害物との衝突を回避可能な搬送装置を提供することを課題とする。
【課題を解決するための手段】
【０００７】
本発明の搬送装置は上記課題を解決するために、カーブ用速度で走行すべきカーブした第１軌道区間、及び該第１軌道区間に隣接し且つ該第１軌道区間の上流側にあると共に前記カーブ用速度で走行すべき第２軌道区間を有する軌道に沿って、被搬送物を搬送する搬送装置であって、前記被搬送物が積載される積載部を有すると共に前記軌道上を走行する搬送手段と、前記搬送手段が前記第２軌道区間に進入したか否かを判定する判定手段と、前記第２軌道区間に進入したと判定された場合に、前記カーブ用速度で走行するように前記搬送手段を制御する走行制御手段とを備える。
【０００８】
本発明の搬送装置によれば、その動作時には、例えばＦＯＵＰ（Ｆｒｏｎｔ  Ｏｐｅｎｉｎｇ  Ｕｎｉｆｉｅｄ  Ｐｏｄ）等の被搬送物は、例えばＯＨＴ（Ｏｖｅｒｈｅａｄ  Ｈｏｉｓｔ  Ｔｒａｎｓｐｏｒｔ）、ビークル等の搬送手段によって、例えば天井又は床上に敷設されたレール等の軌道に沿って搬送される。
【０００９】
本発明では、搬送手段による搬送中に、判定手段によって、搬送手段が第２軌道区間に進入したと判定される。ここに「判定手段」は、例えば、搬送手段に取り付けられたバーコードリーダ等の走行位置を検出する手段を少なくとも含んでおり、搬送手段或いは搬送装置に備えられ、コントローラ、メモリ等を含んでなる制御手段の少なくとも一部である。「第２軌道区間」は、例えば、直進する軌道区間であって、該第２軌道区間の最も上流側に、例えばバーコード等の識別マークが付けられている。具体的には、走行中に、例えば、バーコードリーダにより識別マークが読み取られると、判定手段によって、搬送手段の第２軌道区間への進入が確認される。
【００１０】
続いて、走行制御手段によって、カーブ用速度で走行するように搬送手段が制御される。ここに「走行制御手段」は、例えば、搬送手段或いは搬送装置に備えられ、コントローラ、メモリ等を含んでなる制御手段の少なくとも一部である。このような走行制御手段は、例えば、搬送手段におけるモータ等の駆動系を制御する。「カーブ用速度」は、例えば、第１軌道区間を安定して走行するための走行速度であって、第２軌道区間を除いた、直進する軌道区間を走行する時より低速である。このようなカーブ用速度でカーブを走行しても、搬送手段の回動軸、或いは積載部に積載される被搬送物がぶれることはない。
【００１１】
本発明では、カーブ用速度で走行すべき軌道区間が、第１軌道区間の上流側に、第２軌道区間分延長されている。具体的には、走行制御手段によって、例えば、搬送手段が第２軌道区間から第１軌道区間までの軌道区間をカーブ用速度で走行するように、駆動系が制御される。これにより、搬送手段の走行速度が、第２軌道区間で十分に低減され、比較的直前（即ち、第２軌道区間を走行中）に、第１軌道区間で障害物が検知された場合でも、搬送手段を障害物の手前で停止させる。
【００１２】
このように、カーブ用速度で走行する軌道区間を、カーブが開始される軌道位置から上流側に延長することによって、カーブにある障害物との衝突を回避することが可能となる。
【００１３】
本発明の搬送装置の他の態様では、前記第２軌道区間は、前記カーブ用速度、前記カーブの状況、前記搬送手段の走行状態、前記搬送手段の制動状態、及び前記積載部の積載状態のうち、少なくとも一つに基づいて、予め設定される。
【００１４】
この態様によれば、第２軌道区間は、例えば、カーブ用速度が高速である程、又はカーブ半径が小さい程、又は搬送手段の走行速度が高速である程、又は搬送手段の制動に係る負荷が小さい程、又は積載部上の被搬送物の荷重が軽量である程、軌道上の距離が長くなるように、予め設定されている。このように、カーブや搬送手段に係る既知の情報に基づいて、第２軌道区間が切り替わることによって、走行速度が第２軌道区間で十分に低減され、カーブにある障害物との衝突を回避することが可能となる。尚、第２軌道区間は、例えば、搬送工程が開始される前に、又は開始された直後に設定される。また、第２軌道区間に係る情報（例えば、軌道上の距離）は、例えば、制御手段内のメモリ等の記憶手段、或いは外部記憶手段に記憶される、又は記憶されている。
【００１５】
本発明の搬送装置の一態様では、前記搬送手段が前記軌道上における前記第２軌道区間の上流側を走行中に、前記カーブ用速度、前記カーブの状況、前記搬送手段の走行状態、前記搬送手段の制動状態、及び前記積載部の積載状態、並びに前記軌道が有する分岐を経て前記カーブへ至る予定であるか否かのうち、少なくとも一つに基づいて、前記第２軌道区間を設定する区間設定手段を更に備える。
【００１６】
この態様によれば、区間設定手段によって、搬送手段が第２軌道区間の上流側を走行中に、第２軌道区間が設定される。ここに「区間設定手段」は、例えば、搬送手段或いは搬送装置に備えられ、コントローラ、メモリ等を含んでなる制御手段の少なくとも一部である。第２軌道区間は、例えば、カーブ用速度が高速である程、又はカーブ半径が小さい程、又は搬送手段の走行速度が高速である程、又は搬送手段の制動に係る負荷が小さい程、又は積載部上の被搬送物の荷重が軽量である程、又は搬送手段がカーブへ向かう予定である場合に、軌道上の距離が長くなるように、設定される。
【００１７】
具体的には、例えば、判定手段によって、搬送手段が第１軌道区間から上流側に所定の距離とった位置を通過したと判定される。すると、区間設定手段によって、カーブや搬送手段に係る現行の情報に基づいて、リアルタイムで、第２軌道区間が切り替わる。これにより、走行速度が第２軌道区間で確実に低減され、カーブにある障害物との衝突を回避することが可能となる。
【００１８】
本発明の搬送手段の一態様では、前記第２軌道区間は、前記搬送手段が前記第２軌道区間から前記第１軌道区間へ進入する位置で停止するための制動長さを有するように設定される。
【００１９】
この態様によれば、例えば、走行制御手段によって、第２軌道区間の最も上流側の位置で、制動（即ち、走行速度が零となる制御）が開始されると、第２軌道区間の最も下流側の位置で、制動が終了される、即ち、搬送手段が停止される。このように、第２軌道区間を制動長さに対応させ、カーブにある障害物との衝突を確実に回避することが可能となる。
【００２０】
本発明の搬送手段の一態様では、前記搬送手段及び前記被搬送物の少なくとも一部が接触する可能性のある障害物を検知する障害物検知手段を更に備え、前記走行制御手段は、前記第１軌道区間において前記障害物が検知された場合に、前記第２軌道区間を走行する間に、走行速度を零とするように前記搬送手段を制御する。
【００２１】
この態様によれば、例えば、第２軌道区間又はこれより上流側の軌道区間を走行中に、障害物検知手段によって、第１軌道区間に障害物があると判定される。ここに「障害物検知手段」は、例えば、搬送手段に取り付けられ、障害物センサ等の障害物を検知する手段を少なくとも含む。続いて、走行制御手段によって、搬送手段が第２軌道区間を走行する間に、走行速度が零になるように徐徐に減速される。これにより、第１軌道区間にある障害物の手前で搬送手段が停止され、カーブにある障害物との衝突を確実に回避することが可能となる。
【００２２】
本発明の搬送手段の一態様では、前記走行制御手段は、前記第１軌道区間において前記障害物が検知されない場合に、前記カーブ用速度で、前記第２軌道区間及び前記第１軌道区間を走行するように前記搬送手段を制御する。
【００２３】
この態様によれば、例えば、第２軌道区間又はこれより上流側の軌道区間を走行中に、障害物検知手段によって、第１軌道区間に障害物はないと判定される。すると、走行制御手段によって、搬送手段が、第２軌道区間から第１軌道区間までの軌道区間を、カーブ用速度で継続して走行する。これにより、搬送手段の走行速度が、第２軌道区間で十分に低減され、軌道を横切ろうと突出する、例えば搬送装置管理者等との衝突を回避することが可能となる。
【００２４】
本発明の搬送システムの一態様では、前記走行制御手段は、前記第２軌道区間の上流側を走行中に、走行速度を前記カーブ用速度に近付けるように前記搬送手段を制御する。
【００２５】
この態様によれば、第２軌道区間の上流側を走行中に、走行制御手段によって、搬送手段の走行速度が、カーブ用速度に近付けられる。本発明に係る「第２軌道区間の上流側」にある軌道区間は、例えば、「第３軌道区間」として、通常の走行速度からカーブ用速度に減速するための制動長さを有する。具体的には、例えば、走行時に、判定手段によって、搬送手段が第３軌道区間に進入したと判定される。すると、走行制御手段によって、搬送手段が第３軌道区間を走行する間に、走行速度がカーブ用速度になるように、搬送手段の走行が制御される。即ち、搬送手段が、第３軌道区間の最も上流側の位置で、例えば比較的高速で走行し、第３軌道区間の最も下流側の位置（即ち、第２軌道区間の最も上流側の位置）で、カーブ用速度で走行することによって、走行速度が第２軌道区間の直前で急激に減速されることがない。従って、搬送手段において、制動による過大な負荷が生じることがなく、カーブ走行時の搬送効率の低下を抑制することが可能となる。
【００２６】
本発明の作用及び他の利得は次に説明する実施するための最良の形態から明らかにされる。
【発明を実施するための最良の形態】
【００２７】
以下、本発明の実施形態について図を参照しつつ説明する。
【００２８】
先ず、実施形態に係る搬送装置を適用する搬送システムの構成について説明する。ここに図１は、実施形態に係る搬送装置の構成を機能的に示し、図２は、図１の搬送手段及び前方走行車の一状態を模式的に示すと共に、搬送手段の走行位置に対応する走行速度をグラフに示す。
【００２９】
図１において、搬送システム１００は、軌道１、バーコードＢＣｘ、及び搬送装置２０を備えており、搬送装置２０は、ビークル３及び搬送コントローラ１１を有する。軌道１は、ビークル３が走行するためのレールである。
【００３０】
図２において、軌道１は、本軌道１ａ及び支軌道１ｂを含む。本軌道１ａには、上流側から順に、バーコードＢＣ１，ＢＣ２，ＢＣ３が配置されており、支軌道１ｂには、バーコードＢＣ４が配置されている。本軌道１ａは、バーコードＢＣ３の下流に設けた分岐点Ｐ１で直進方向、及び走行方向に対して右方向に分岐される。支軌道１ｂは、本発明に係る「第１軌道区間」の一部として、右方向に分岐した後、右方にカーブする軌道区間（以下、「カーブ区間」と言う）を含んでいる。本実施形態では特に、軌道１上のカーブ区間の上流側に、カーブ前区間及び減速区間の２つの軌道区間を設定している。カーブ前区間は、本発明に係る「第２軌道区間」の一例として、カーブ区間に隣接しており、軌道１上のカーブ区間の上流側にある。カーブ前区間は、例えば数十ｃｍ〜数百ｃｍの軌道距離Ｌ１を有する。減速区間は、本発明に係る「第３軌道区間」の一例として、カーブ前区間に隣接しており、軌道１上のカーブ前区間の上流側にある。減速区間は、例えばカーブ前区間の二倍〜数倍の軌道距離Ｌ２を有する。
【００３１】
バーコードＢＣｘは、軌道１上の所定の軌道位置に配置されている。バーコードＢＣ１〜ＢＣ４は夫々、自らに固有の識別番号を示す。固有の識別番号は、バーコード自らが付けられた軌道位置を示すアドレスや座標などの位置情報や、自らの軌道位置にて実行されるべき制御内容（例えば、制御コード等）を示すように構成してもよい。バーコードＢＣｘは、後述するバーコードリーダ６に読み取られる。
【００３２】
図１において、ビークル３は、本発明に係る「搬送手段」の一例として、軌道１に沿って走行すると共に、不図示の製造装置やストッカにＦＯＵＰを搬送する。ビークル３は、本体部３ａ、複数の車輪４、バーコードリーダ６、障害物センサ７、及び制御部１０を備える。本体部３ａは、下面の前後両側に一対の車輪４を二組配置しており、下面の中央にバーコードリーダ６を配置している。
【００３３】
バーコードリーダ６は、本発明に係る「判定手段」の一部として機能し、ビークル３の走行に伴ってバーコードＢＣｘを読み取る。読み取られたバーコードＢＣｘは、ビークル３の走行位置を示す。バーコードリーダ６は、読み取ったバーコードＢＣｘ（又は、固有の識別番号）を示す信号を制御部１０に送る。
【００３４】
障害物センサ７は、本発明に係る「障害物検知手段」の一例として、本体部３ａの前面に取り付けられている。障害物センサ７は、ビークル３の走行に伴って、所定の領域について、後述する前走ビークル３ｘ（即ち、図２に示される）を含む障害物を検知する。障害物センサ７は、超音波を発し、発された超音波の反射波を受け取ることで、走行時に障害となる障害物の有無を検出する超音波センサである。障害物センサ７は、反射波を受け取った場合に、障害物がある旨の信号を制御部１０に送る。本実施形態では、障害物センサ７は、ビークル３の走行位置がカーブ前区間の始点（即ち、最も上流側の軌道位置Ｐ０（図２に示される））より下流側にある場合に、カーブ区間について障害物を検知可能とする。
【００３５】
図２において、軌道１上には、ビークル３の他に、前走ビークル３ｘが存在している。前走ビークル３ｘは、ビークル３と同一に構成されている。前走ビークル３ｘは、本実施形態に係る「障害物」の一例である。
【００３６】
制御部１０は、搬送コントローラ１１からの搬送指示に従って、ビークル３の各部を制御する。制御部１０は、メモリ１０ａを備える。
【００３７】
メモリ１０ａは、軌道１に係る情報（即ち、軌道情報）を格納する。軌道情報は、軌道１を構成する複数の軌道区間の状態を示す。軌道区間の状態は、例えば「カーブ区間」、「カーブ前区間」、及び「減速区間」等に分類される。メモリ１０ａは、支軌道１ｂのカーブＣ１（図２に示される）に対応する軌道区間を「カーブ区間」とし、カーブ区間の始点を示す分岐点Ｐ１から上流側に軌道距離Ｌ１をとった軌道区間を「カーブ前区間」とし、カーブ前区間の始点を示す軌道位置Ｐ０から上流側に軌道距離Ｌ２をとった軌道区間を「減速区間」として、格納する。
【００３８】
制御部１０は、本発明に係る「判定手段」及び「区間設定手段」の一例として、後述するメモリ１１ａに格納される既知のカーブ情報、予め設定された走行状態、及び予め測定された制動距離に基づいて、ビークル３に対応する軌道情報を生成する。この軌道情報の生成は、搬送工程が開始される前、又は搬送工程が開始された後にも、ビークル３の現行の走行速度、積み荷の状況に応じて適宜行われてもよい。制御部１０は、生成した軌道情報をメモリ１０ａに記憶する。
【００３９】
制御部１０は、本発明に係る「走行制御手段」の一例として、カーブに係るビークル３の走行を制御する。制御部１０は、カーブＣ１（即ち、カーブ区間）を走行する場合に、安定して走行するためのカーブ用速度Ｖ１を設定する。制御部１０は、設定したカーブ用速度Ｖ１で、カーブ区間の他にカーブ前区間も走行するように、走行を制御する。制御部１０は、カーブ前区間もカーブ用速度Ｖ１で走行するために、減速区間で徐徐に減速する減速走行を行う。
【００４０】
搬送コントローラ１１は、搬送工程に従って、各ビークル３（前走ビークル３ｘを含む）に相異なる搬送指示を示す信号を送り、複数のビークル３を総括的に制御する。搬送コントローラ１１は、メモリ１１ａを有する。メモリ１１ａは、カーブ情報を格納する。カーブ情報は、軌道１における各カーブの位置、曲率、及びカーブ用速度を示す。
（第１カーブ走行制御処理）
【００４１】
次に、本実施形態に係る搬送装置の第１カーブ走行制御処理について図３を参照して説明する。図３は、本実施形態の第１カーブ走行制御処理を示すフローチャートである。尚、図３に示される処理において、図２に示すように、支軌道１ｂのカーブＣ１に停止する前走ビークル３ｘに向かって、ビークル３が走行する場合を想定する。また、図３の処理で使用される「カーブ区間」、「カーブ前区間」、及び「減速区間」を示す軌道情報は、メモリ１０ａ内に予め格納されている。
【００４２】
図３において、先ず、バーコードリーダ６によって、減速区間に進入したか否かが判定される（ステップＳ５１）。この判定は、減速区間に進入するまで繰り返して実行される（ステップＳ５１:ＮＯ）、。
【００４３】
ステップＳ５１の判定の結果により、減速区間に進入すると（ステップＳ５１：ＹＥＳ）、制御部１０によって、走行速度が減速される（ステップＳ５２）。続いて、バーコードリーダ６によって、カーブ前区間に進入したか否かが判定される（ステップＳ５３）。この判定は、カーブ前区間に進入するまで繰り返して実行される（ステップＳ５３:ＮＯ）。
【００４４】
ここで一方、ステップＳ５３の判定の結果により、カーブ前区間に進入すると（ステップＳ５３：ＹＥＳ）、制御部１０によって、ビークル３の走行速度がカーブ用速度Ｖ１に設定される（ステップＳ５４）。続いて、障害物センサ７によって、前走ビークル３ｘがカーブ区間に存在しているか否かが判定される（ステップＳ５５）。この判定の結果、前走ビークル３ｘに存在していない場合に（ステップＳ５５：ＮＯ）、バーコードリーダ６によって、カーブ区間が終了したか否かが判定される（ステップＳ５６）。この判定の結果、カーブ区間が終了した場合に（ステップＳ５６:ＹＥＳ）、一連の処理が終了される。
【００４５】
一方、ステップＳ５６の判定の結果により、カーブ区間が未だ終了していない場合に（ステップＳ５６：ＮＯ）、制御部１０によって、ビークル３が継続してカーブ用速度Ｖ１に設定され（ステップＳ５７）、ステップＳ５５の処理が再び行われる。
【００４６】
一方、ステップＳ５５の判定の結果により、前走ビークル３ｘがカーブ区間に存在している場合に（ステップＳ５５：ＹＥＳ）、制御部１０によって、ビークル３の走行が停止される（ステップＳ５８）。これにより、ビークル３が前走ビークル３ｘの停止位置より上流側に停止される。従って、前走ビークル３ｘとの衝突が回避され、一連の走行制御処理が終了される。
【００４７】
このように、カーブ用速度Ｖ１で走行する軌道区間を、カーブＣ１が開始される軌道位置Ｐ１から上流側に軌道距離Ｌ１分延長することによって、カーブＣ１に停止する前方ビークル３ｘとの衝突を回避することが可能となる。
【００４８】
尚、図３に示される第１カーブ走行制御処理では、予め、軌道情報がメモリ１０ａに格納されているが、カーブＣ１に差し掛かる度に、リアルタイムで、ビークル３の走行状態、及びＦＯＵＰの積載の有無に対応する軌道情報を生成してもよい。
（第２カーブ走行制御処理）
【００４９】
次に、本実施形態に係る搬送手段の第２カーブ走行制御処理について図４を参照して説明する。図４は、本実施形態の第２カーブ走行制御処理を示すフローチャートである。尚、図４に示される処理において、図３の場合と同様にして、カーブＣ１に停止する前走ビークル３ｘに向かって、ビークル３が走行する場合を想定する。
【００５０】
図４において、先ず、バーコードリーダ６によって、カーブ区間（カーブＣ１）に接近している旨を示すバーコードＢＣｘが読み取られたか否かが判定される（ステップＳ６１）。この判定は、該バーコードＢＣｘが読み取られるまで繰り返して実行される（ステップＳ６１：ＮＯ）。
【００５１】
ここで一方、ステップＳ６１の判定の結果により、カーブ区間に接近している旨のバーコードＢＣｘが読み取られると（ステップＳ６１：ＹＥＳ）、制御部１０によって、ビークル３の走行速度及びＦＯＵＰの積載の有無に基づいて、「カーブ前区間」及び「減速区間」を示す軌道情報が生成され、メモリ１０ａに記憶される（ステップＳ６２）。この後、メモリ１０ａに記憶された軌道情報を使用して、図３における第１カーブ走行制御処理と同様の処理（ステップＳ５１〜ステップＳ５８）が行われる。
【００５２】
このように、カーブＣ１やビークル３に係る現行の情報に基づいて、カーブ前区間及び減速区間が切り替わることによって、走行速度がカーブ前区間で確実に低減され、カーブＣ１にある前走ビークル３ｘとの衝突を回避することが可能となる。
【００５３】
本発明は、上述した実施形態に限られるものではなく、請求の範囲及び明細書全体から読み取れる発明の要旨或いは思想に反しない範囲で適宜変更可能である。
【図面の簡単な説明】
【００５４】
【図１】実施形態に係る搬送装置の構成を示すブロック図である。
【図２】図１の搬送手段及び前方走行車の一例を示す模式図、及び走行位置に対する走行速度を示すグラフである。
【図３】実施形態に係るカーブ走行制御処理の一例を示すフローチャートである。
【図４】実施形態に係るカーブ走行制御処理の他の例を示すフローチャートである。
【符号の説明】
【００５５】
１…軌道、３…ビークル、６…バーコードリーダ、７…障害物センサ、１０…制御部、１１…搬送コントローラ、１００…搬送システム
【図１】
0005077043.tif 000002
【図２】
0005077043.tif 000003
【図３】
0005077043.tif 000004
【図４】
0005077043.tif 000005